(57)【特許請求の範囲】
【請求項１】
厚み方向に貫通する開口窓が形成されたハウジングと、前記ハウジングの一面部を覆うシールドカバーとを有し、前記ハウジングと前記シールドカバーとの間に、カード媒体が差し込まれるカード媒体収容部を形成し、
前記開口窓にカード媒体差し込み方向に配列されたコンタクト端子が組み込まれていて、前記コンタクト端子と電気的に接続された導体回路を有する基板が前記ハウジングの前記開口窓に対向するように配置されているカードコネクタであって、
前記コンタクト端子は、長手方向中間部に前記カード媒体収容部に差し込まれた前記カード媒体に接触する接点部と、前記ハウジングに固定された基端部と、前記カード媒体収容部に前記カード媒体を挿入すると前記基板によって支持される先端部とを有し、
前記ハウジングは、前記コンタクト端子の前記先端部を前記カード媒体収容部側から覆う保護部を有することを特徴とするカードコネクタ。
【請求項２】
前記基板は金属箔部を有し、前記コンタクト端子の先端部が前記金属箔部に接触することを特徴とする請求項１に記載のカードコネクタ。
【請求項３】
前記金属箔部は、前記コンタクト端子と電気的に接続されていることを特徴とする請求項２に記載のカードコネクタ。
【請求項４】
前記ハウジングは、前記コンタクト端子の先端部の前方側に前記カード媒体収容部側に向けて窪む凹部を形成したことを特徴とする請求項１から請求項３のいずれか１項に記載のカードコネクタ。
【発明の詳細な説明】
【技術分野】
【０００１】
本発明は、カードコネクタに関する。
【背景技術】
【０００２】
従来、携帯電話機や情報端末機器等の電子機器に用いるカードコネクタにおいて、コネクタ端子の一端部をハウジングに固定し、コネクタ端子の他端部をハウジングに支持したものが知られている（例えば、特許文献１参照）。
【０００３】
図５に示すように、前述した従来のカードコネクタ１０１は、ハウジング１１０と、シールドカバー１２０と、コンタクト端子１３０とを含んで構成されている。
【０００４】
シールドカバー１２０はハウジング１１０に装着され、ハウジング１１０とシールドカバー１２０との間に、カード媒体差し込み方向手前Ｒ側からカード媒体差し込み方向前方Ｆ側へ向けて、ＳＤカード、ＭＭＣカード等の図示しないカード媒体が挿入されるカード媒体収容部１１１を形成している。
【０００５】
ハウジング１１０は、樹脂材料により形成され、部材厚み方向に貫通する複数の開口窓１１２を有しており、各開口窓１１２にコンタクト端子１３０を組み込んでいる。また、ハウジング１１０は、下部にプリント回路板を構成する図示しない基板が装着されるようになっている。
【０００６】
コンタクト端子１３０は、導電性に優れた金属で形成されたカード媒体差し込み方向に配列された薄板ばねであり、カード媒体厚み方向に弾性変形するようになっている。
【０００７】
コンタクト端子１３０は、一端部をハウジング１１０に対して固定される固定端１３１とし、他端部をハウジング１１０に対してカード媒体差し込み方向への変位が許容される可動端１３２として、カード媒体差し込み方向中間部に上方へ向けて凸湾曲状に突出する接点部１３３を有している。
【０００８】
コンタクト端子１３０の固定端１３１は、開口窓１１２の一端側に位置するようハウジング１１０に形成した溝１１３に圧入されている。また、コンタクト端子１３０の可動端１３２は、開口窓１１２の他端部に位置するようハウジング１１０に形成した上下に相対する肩部１１４と底壁部１１５との間の空隙に入り込んでいる。
【０００９】
さらに、コンタクト端子１３０の接点部１３３は、カード媒体収容部１１１にカード媒体差し込み方向手前Ｒ側からカード媒体を挿入した際に、カード媒体の下面部の図示しないパッド部が接触するようになっている。
【００１０】
このカードコネクタ１０１は、ハウジング１１０に形成した肩部１１４と底壁部１１５との間の空隙にコンタクト端子１３０の可動端１３２が入り込んでいるため、カード媒体収容部１１１にカード媒体を差し込むとき、あるはカード媒体収容部１１１からカード媒体を抜き取るときに、カード媒体にコンタクト端子１３０の可動端１３２が干渉することがなく、よって、コンタクト端子１３０に座屈等の損傷が発生しない。
【先行技術文献】
【特許文献】
【００１１】
【特許文献１】特開２００８−９７９４７号公報
【発明の概要】
【発明が解決しようとする課題】
【００１２】
上述した従来のカードコネクタ１０１は、ハウジング１１０に形成した肩部１１４と底壁部１１５とによってコンタクト端子１３０の可動端１３２を上下方向に挟んでいるため、ハウジング１１０においてコンタクト端子１３０の可動端１３２を支持する部分の厚みが大きくなり、カードコネクタ１０１の低背化が困難であった。
【００１３】
そこで、本発明は、上述した課題を解決するためになされたものであり、ハウジングにおいてコンタクト端子を支持する部分の厚みを小さくし、低背化を達成できるカードコネクタを提供することを目的としている。
【課題を解決するための手段】
【００１４】
本発明に係るカードコネクタは、上記目的を達成するため、厚み方向に貫通する開口窓が形成されたハウジングと、前記ハウジングの一面部を覆うシールドカバーとを有し、前記ハウジングと前記シールドカバーとの間に、カード媒体が差し込まれるカード媒体収容部を形成し、前記開口窓にカード媒体差し込み方向に配列されたコンタクト端子が組み込まれていて、前記コンタクト端子と電気的に接続された導体回路を有する基板が前記ハウジングの前記開口窓に対向するように配置されているカードコネクタであって、前記コンタクト端子は、長手方向中間部に前記カード媒体収容部に差し込まれた前記カード媒体に接触する接点部と、前記ハウジングに固定された基端部と、前記カード媒体収容部に前記カード媒体を挿入すると前記基板によって支持される先端部とを有し、前記ハウジングは、前記コンタクト端子の前記先端部を前記カード媒体収容部側から覆う保護部を有する構成としている。
【００１５】
この構成により、本発明に係るカードコネクタは、ハウジングの他面部に装着した基板によって、コンタクト端子の先端部を支持する。このため、本発明に係るカードコネクタは、ハウジングにおいてコンタクト端子を支持する部分の厚みが小さくなり、低背化を達成することができる。
【００１６】
さらに、本発明に係るカードコネクタは、保護部がカード媒体収容部側からコンタクト端子の先端部を覆っているので、カード媒体収容部にカード媒体を差し込むとき、あるいはカード媒体収容部からカード媒体を抜き取るときに、コンタクト端子の先端部にカード媒体等が干渉しない。このため、本発明に係るカードコネクタは、コンタクト端子の損傷を防ぐことができる。
【００１７】
また、上述した構成のカードコネクタにおいて、前記基板は金属箔部を有し、前記コンタクト端子の先端部が前記金属箔部に接触することが好ましい。
【００１８】
この構成により、本発明に係るカードコネクタは、金属箔部によってコンタクト端子の先端部と基板との接触が回避される。このため、本発明に係るカードコネクタは、基板の損耗を防ぐことができる。
【００１９】
また、上述した構成のカードコネクタにおいて、前記金属箔部は、前記コンタクト端子と電気的に接続されていることが好ましい。
【００２０】
この構成により、本発明に係るカードコネクタは、金属箔部を導電回路として利用しつつ、基板の損耗を防ぐことができる。
【００２１】
また、上述した構成のカードコネクタにおいて、前記ハウジングは、前記コンタクト端子の先端部の前方側にカード媒体収容部側に向けて窪む凹部を形成した構成とすることが好ましい。
【００２２】
この構成により、本発明に係るカードコネクタは、インサート成形によりハウジングとコンタクト端子とを一体化する際に、コンタクト端子の先端部の前方側に形成される凹部が、コンタクト端子の先端部に樹脂材料が回り込むのを防ぐ。このため、本発明に係るカードコネクタは、コンタクト端子の先端部とハウジングを形成する樹脂材料とが密着して剥がれなくなることを防止できる。
【発明の効果】
【００２３】
本発明によれば、ハウジングにおいてコンタクト端子を支持する部分の厚みを小さくし、低背化を達成できるカードコネクタを提供することができる。
【図面の簡単な説明】
【００２４】
【図１】本発明の実施の形態に係るカードコネクタの斜視図である。
【図２】図１に示すカードコネクタのＡ−Ａ断面図である。
【図３】図１におけるカードコネクタのハウジングを示す斜視図である。
【図４】本実施の形態に係るカードコネクタにおける保護部の拡大断面図である。
【図５】従来のカードコネクタの縦断面図である。
【発明を実施するための形態】
【００２５】
以下、本発明の実施の形態に係るカードコネクタについて、図面を参照して説明する。
【００２６】
図１、図２に示すように、本実施の形態に係るカードコネクタ１は、樹脂製のハウジング１０と、金属製のシールドカバー２０と、コンタクト端子３０，４０とを備えている。
【００２７】
図２、図３に示すように、ハウジング１０は、カード支持部１１と、カード支持部１１の上面一縁部に連なってカード媒体差し込み方向手前Ｒ側からカード媒体差し込み方向前方Ｆ側へ向けて延びる側壁部１２と、カード支持部１１の上面他縁部に連なって側壁部１２と同方向に延びる側壁部１３とを有しており、側壁部１２，１３の間に、図示しないカード媒体が挿入されるカード媒体収容部１４を形成している。
【００２８】
ハウジング１０は、カード支持部１１に厚み方向に貫通する複数の開口窓１５、１６を有している。開口窓１５は、カード支持部１１のカード媒体差し込み方向手前Ｒ側の部分に、３つがカード媒体幅方向に並んでいる。開口窓１６は、カード支持部１１のカード媒体差し込み方向前方Ｆ側の部分に、カード媒体幅方向に３つ並んでいる。
【００２９】
図１に示すように、シールドカバー２０は、カード支持部１１のカード媒体収容部１４を上側から部分的に覆うカード被覆部２１と、カード被覆部２１の一縁部に連なってカード支持部１１の側壁部１２に係合するハウジング係合部２２と、カード被覆部２１の他縁部に連なってカード支持部１１の側壁部１３に係合するハウジング係合部２３とを有している。
【００３０】
シールドカバー２０は、カード被覆部２１のカード媒体差し込み方向手前Ｒ側の部分に切欠き部２４を有し、カード被覆部２１のカード媒体差し込み方向前方Ｆ側の部分に切欠き部２５を有している。
【００３１】
図２に示すように、コンタクト端子３０は、導電性に優れた金属で形成された薄板ばねであり、カード媒体差し込み方向に延び、長手方向中間部にシールドカバー２０側へ向けて凸湾曲状に突出する接点部３１を有し、ハウジング１０の開口窓１５に組み込まれている。
【００３２】
コンタクト端子３０においてカード媒体差し込み方向手前Ｒ側に位置する基端部３２は、カード支持部１１に固定されている。コンタクト端子３０においてカード媒体差し込み方向前方Ｆ側に位置する先端部３３は、カード支持部１１に開口窓１５の内方に向けて突出するように形成した支持部１７の上面部に支持されている。
【００３３】
図２に示すように、コンタクト端子４０は、導電性に優れた金属で形成された薄板ばねであり、カード媒体差し込み方向に延び、長手方向中間部にシールドカバー２０側へ向けて凸湾曲所に突出する接点部４１を有し、ハウジング１０の開口窓１６に組み込まれている。
【００３４】
コンタクト端子４０においてカード媒体差し込み方向手前Ｒ側に位置する基端部４２は、カード支持部１１に固定されている。コンタクト端子４０においてカード媒体差し込み方向前方Ｆ側に位置する先端部４３は、カード支持部１１に形成した保護部１８によってカード媒体収容部１４側から覆われている。
【００３５】
本実施の形態に係るカードコネクタ１は、図２に示すように、カード支持部１１の下面部に基板５０を装着している。基板５０は、コンタクト端子３０，４０が電気的に接続される図示しない導体回路と、コンタクト端子４０の先端部４３の下面部が接触する金属箔部５１を有している。
【００３６】
また、本実施の形態に係るカードコネクタ１は、図４に示すように、カード支持部１１においてコンタクト端子４０の先端部４３のカード媒体差し込み方向前方Ｆ側に位置する部分に、カード媒体収容部１４側に向けて窪む凹部１９を形成している。
【００３７】
例えば、カード支持部１１をインサート成形法により形成する際に、コンタクト端子４０の先端部４３および凹部１９に相当する型を配置し、樹脂を注入した後に凹部１９に相当する型を抜き取ることによって、図４に示す形状を形成することができる。
【００３８】
次に、本実施の形態に係るカードコネクタ１の作用を説明する。
【００３９】
本実施の形態に係るカードコネクタ１は、カード媒体収容部１４にカード媒体を挿入すると、コンタクト端子３０の接点部３１にカード媒体のパッド部が接触し、接点部３１が押し下げられてコンタクト端子３０が弾性変形する。
【００４０】
さらに、本実施の形態に係るカードコネクタ１は、カード媒体収容部１４にカード媒体を挿入すると、コンタクト端子４０の接点部４１にカード媒体のパッド部が接触し、接点部４１が押し下げられて、コンタクト端子４０の先端部４３の下面部が基板５０の金属箔部５１に接触し、コンタクト端子４０が弾性変形する。
【００４１】
本実施の形態に係るカードコネクタ１は、ハウジング１０を構成するカード支持部１１の下面部に装着した基板５０によって、コンタクト端子４０の先端部４３を支持するようになっている。このため、本実施の形態に係るカードコネクタ１は、ハウジング１０においてコンタクト端子４０を支持する部分の厚みが小さくなり、低背化を達成することができる。
【００４２】
本実施の形態に係るカードコネクタ１は、コンタクト端子４０の先端部４３をカード媒体収容部１４側から覆う保護部１８をカード支持部１１に形成している。これにより、カード媒体収容部１４にカード媒体を差し込むとき、あるはカード媒体収容部１４からカード媒体を抜き取るときに、コンタクト端子４０の先端部４３にカード媒体や作業者の指先等が干渉しない。このため、本実施の形態に係るカードコネクタ１は、コンタクト端子４０に座屈、曲損等の損傷が発生するのを防ぐことができる。
【００４３】
本実施の形態に係るカードコネクタ１は、基板５０に設けた金属箔部５１によって、コンタクト端子４０の先端部４３と基板５０との接触を回避する。このため、本実施の形態にカードコネクタ１は、基板５０の損耗を防ぐことができる。
【００４４】
本実施の形態に係るカードコネクタ１は、ハウジング１０を構成するカード支持部１１においてコンタクト端子４０の先端部４３のカード媒体差し込み方向前方Ｆ側に位置する部分に形成した凹部１９を設けているので、インサート成形によりハウジング１０とコンタクト端子３０，４０とを一体化する際に、凹部１９の位置に配置される型がコンタクト端子４０の先端部４３に樹脂材料が回り込むのを防ぐ。このため、本実施の形態に係るカードコネクタ１は、コンタクト端子４０の先端部４３とハウジング１０を形成する樹脂材料とが密着して剥がれなくなることを防止できる。
【００４５】
本実施の形態に係るカードコネクタ１は、コンタクト端子４０の先端部４３が、カード媒体差し込み方向に延びているが、その向きに代えて、先端部４３は、カード媒体差し込み方向と直交する方向に延びるものであってもよい。
【００４６】
なお、本発明に係るカードコネクタの技術的範囲は、上述した実施の形態に限定されるものではなく、特許請求の範囲に記載した各構成要素の種々の変更を含むものである。
【００４７】
以上のように、本発明に係るカードコネクタは、ハウジングにおいてコンタクト端子を支持する部分の厚みを小さくし、低背化を達成できるという効果を奏するもので、各種の基板アッセンブリ等に有用である。
【符号の説明】
【００４８】
１…カードコネクタ、１０…ハウジング、１４…カード媒体収容部、１６…開口窓、１８…保護部、１９…凹部、２０…シールドカバー、４０…コンタクト端子、４１…接点部、４２…基端部、４３…先端部、５０…基板、５１…金属箔部
【図１】
0005884839.tif 000002
【図２】
0005884839.tif 000003
【図３】
0005884839.tif 000004
【図４】
0005884839.tif 000005
【図５】
0005884839.tif 000006